(57)【要約】【課題】携帯ケースにバーコードリーダをセットするだけで汎用のプリンタの光通信インターフェースに、汎用のバーコードリーダの光通信インターフェースから光通信により情報を伝達できる携帯式伝票発行装置を提供する。【解決手段】光通信インターフェース８ａを備えたプリンタ８を収納する携帯ケース２に、物品に貼付されたバーコードラベルのバーコードを読み取り、前記プリンタ８の光通信インターフェース８ａに情報伝達用赤外線Ｌを発信する光通信インターフェースを有するバーコードリーダ７のバーコードリーダセット場所３を設けると共に、このバーコードリーダセット場所３にセットされたバーコードリーダ７の光通信インターフェースから発信された情報伝達用赤外線Ｌを前記プリンタ８の光通信インターフェース８ａに案内する赤外線案内手段１０を設ける。【選択図】        図１
2004216719.tif 000002
【特許請求の範囲】
【請求項１】
光通信インターフェース（８ａ）を備えたプリンタ（８）を収納する携帯ケース（２）に、物品に貼付されたバーコードラベルのバーコードを読み取り、前記プリンタ（８）の光通信インターフェース（８ａ）に情報伝達用赤外線（Ｌ）を発信する光通信インターフェース（７ａ）を有するバーコードリーダ（７）をセットするバーコードリーダセット場所（３）を設けると共に、このバーコードリーダセット場所（３）にセットされたバーコードリーダ（７）の光通信インターフェース（７ａ）から発信された情報伝達用赤外線（Ｌ）を、前記プリンタ（８）の光通信インターフェース（８ａ）に案内する赤外線案内手段（１０）を設けたことを特徴とする携帯式伝票発行装置。
【請求項２】
前記赤外線案内手段（１０）は、前記バーコードリーダ（７）と前記プリンタ（８）との間に設けられ、前記バーコードリーダ（７）の光通信インターフェース（７ａ）から発信された情報伝達用赤外線（Ｌ）を反射する第１反射板（１０ａ）と、この第１反射板（１０ａ）で反射された情報伝達用赤外線（Ｌ）を受光し、受光した情報伝達用赤外線（Ｌ）を前記プリンタ（８）の光通信インターフェース（８ａ）に向けて反射させる第２反射板（１０ｂ）とからなることを特徴とする請求項１に記載の携帯式伝票発行装置。
【請求項３】
前記赤外線案内手段（１０）は、前記バーコードリーダ（７）と前記プリンタ（８）との間に設けられ、前記バーコードリーダ（７）の光通信インターフェース（７ａ）から発信された情報伝達用赤外線（Ｌ）を反射する第１プリズムと、この第１プリズムで反射された情報伝達用赤外線を受光し、受光した情報伝達用赤外線（Ｌ）を前記プリンタ（８）の光通信インターフェース（８ａ）に向けて反射させる第２プリズムとからなることを特徴とする請求項１に記載の携帯式伝票発行装置。
【請求項４】
前記赤外線案内手段（１０）は、前記バーコードリーダ（７）の光通信インターフェース（７ａ）から発信された情報伝達用赤外線（Ｌ）を、前記プリンタ（８）の光通信インターフェース（８ａ）に案内する光ファイバーケーブル（１０）であることを特徴とする請求項１に記載の携帯式伝票発行装置。
【請求項５】
前記携帯ケース（２）の前記プリンタ（８）の下側に、このプリンタ（８）で印字される伝票用の折畳み式連続紙（９）を収納する伝票用紙収納室（５）を設けたことを特徴とする請求項１乃至４のうちの何れか一つの項に記載の携帯式伝票発行装置。
【発明の詳細な説明】
【０００１】
【発明の属する技術分野】
本発明は、商品に貼付されたバーコードラベルに印刷されたバーコードを読み取るバーコードリーダからの読み取り情報を印字した伝票を発行する携帯式伝票発行装置に係り、より詳しくは、出向き先で商品の納入、引取り等のための伝票を発行する携帯式伝票発行装置に関する。
【０００２】
【従来の技術】
商品を顧客に納入する場合には、例えばトラック等で運搬して納入先に納入している。商品を納入するに際しては、顧客に商品納入、商品納入兼受領書等の伝票を手渡す必要があるが、従来、商品に係る種々の情報を伝票に手書きしていた。しかしながら、これでは記載ミスを皆無にすることができないばかりでなく能率も悪く、物流の合理化に対応することが困難であった。このような問題を解決するために、近年では商品に必要情報を記録したバーコードラベルを貼着し、このバーコードラベルに印刷されたバーコードをバーコードリーダで読み取り、読み取った情報をプリンタに伝達して、情報を印字した伝票をプリンタにより発行するという手法が用いられるようになってきている。
【０００３】
伝票を発行するプリンタを携帯し得るようにした伝票発行装置としては、例えばメータの顧客番号やメータ数字を読み取るようにしたメータ類の検針装置が知られている。以下、この従来例１に係るメータ類の検針装置を、メータ類の検針方法およびその装置の構成説明図の図６を参照しながら説明する。この従来例１に係るメータ類の検針装置は、メータ１２に、顧客番号を示すバーコードが印刷されたラベル１２Ｂを予め貼り付けておき、このラベル１２Ｂのバーコードとメータ１２の積算表示部１２Ａの使用量とを携帯型の光学的読み取装置１６で読み取る。そして、この光学的読み取装置１６で読み取った顧客番号と使用量とをコード状のＲＳ２３２Ｃインターフェース２０を介して携帯型プリンタ１８に伝達すると共に、この携帯型プリンタ１８により伝票用用紙に顧客番号と使用量とを印字するようにしたものである（例えば、特許文献１参照。）。
【０００４】
また、手提げ可能なケーシング内に、ワイヤドットプリンタを収納して持ち運ぶようにした携帯用プリンタが知られている。この従来例２に係る携帯用プリンタは、その概略構成説明図の図７に示すように構成されている。即ち、この携帯用プリンタは、手提げ可能なケーシングであるアルミニウム製トランク３１を備えている。そして、このアルミニウム製トランク３１内に、ワイヤドットプリンタ３２、プリンタ制御装置３３、光通信インターフェース４２を有するハンディターミナル３４が着脱自在に装着され、光通信インターフェース４６有する通信ユニット３５、電源部３６と共に組み込まれている。
【０００５】
この従来例２に係る携帯用プリンタによると、ハンディターミナル３４によってバーコードラベルのバーコードを読み取り、または入力キーによりデータが入力され、通信ユニット３５に装着されると共に、送信ファンクションキー操作されると、ハンディターミナル３４に記憶されている情報が光通信インターフェース４２から光通信インターフェース４６を通して通信ユニット３５に送信される。そして、通信ユニット３５から通信ケーブル３７を介してプリンタ制御装置３３に情報が送信されると、ワイヤドットプリンタ３２から情報を印字した伝票が発行されるように構成されてなるものである（例えば、特許文献２参照。）。
【０００６】
【特許文献１】
特開平７？２６２２２９号公報（第２？３頁、第１図）
【特許文献２】
実開平６？４９０４２号公報（第４？５頁、第１図）
【０００７】
【発明が解決しようとする課題】
上記特許文献１，２に記載の装置は、何れもそれなりに有用であると考えられる。しかしながら、後述するような用途によっては、下記のような問題が生じる。例えば、商品がガスボンベである場合、ガスボンベをトラック等で運搬して顧客に納入すると共に、ガス使用済みの空ボンベを回収している。この場合、ガスボンベに係る種々の情報を記録した伝票を顧客や販売会社の所定部所に手渡す必要がある。そのため、取り扱い易く、かつ軽量で、能率良く作業が行える構成であることが好ましい。
【０００８】
先ず、上記特許文献１に記載のメータ類の検針装置の場合には、携帯型の光学的読み取装置１６をバーコードリーダに代えてやれば、ガスボンベに貼着されたバーコードラベルのバーコードを簡単に読み取ることができるから、能率良く伝票を発行することができると考えられる。しかしながら、商品がガスボンベである場合には、複数本が並べて立てられた状態でトラック等に積載されているのに加えて、向きも不特定であってバーコードラベルの貼付位置の向きはばらばらであるから、バーコードを読み取るためにバーコードリーダをガスボンベの左右に移動させ、さらにガスボンベの後ろ側まで移動させなければならないことが多々ある。そのため、バーコードの読み取り作業中に、ＲＳ２３２Ｃインターフェース２０のようなコード状のインターフェースがガスボンベに引っ掛かったり、絡まったりする。従って、コード状のインターフェースの切断による作業の中断トラブルにより作業能率が低下する恐れがあり、またガスボンベが倒れたりすることも考えられるから、人身事故が発生する恐れも生じる。
【０００９】
また、上記特許文献２に記載の携帯用プリンタによれば、ハンディターミナル４と通信ユニット５とはコード状のインターフェースで接続されておらず、ハンディターミナル４はコードレスである。従って、バーコードの読み取り作業中に、コード状のインターフェースがガスボンベに引っ掛かったり、絡まったりすることがないから、コード状のインターフェースが切断したり、またガスボンベが倒れたりするような恐れがない。
【００１０】
しかしながら、ハンディターミナル４と通信ユニット５とは対をなすように特別に製造する必要があり、携帯用プリンタの製造コストが嵩むという経済上の問題があった。そのため、多量に市販されている汎用のプリンタやバーコードリーダが使用されている。これらプリンタとバーコードリーダとを手に持って作業すると作業能率が悪いばかりでなく、落としたりする恐れがあるので、一般にプリンタは携帯ケースにセットし、この携帯ケースを机、あるいはトラックの運転席等に載置して使用するようにしている。
【００１１】
ところが、汎用のプリンタやバーコードリーダの場合には、それぞれの使い勝手が良い位置に光通信インターフェースが設けられている。そのため、伝票を発行するに際してプリンタとバーコードリーダとを重ねたり、並べたりしても光通信インターフェース同士が合致しないことがほとんどで、プリンタに対してバーコードリーダの位置をずらさなければ、プリンタに情報を伝達することができない。そこで、通常、バーコードを読み取ったバーコードリーダを手に持ったままバーコードリーダの光通信インターフェースをプリンタの光通信インターフェースに合わせて、読み取った情報をプリンタに送信している。
【００１２】
従って、読み取った全情報の送信が終了するまで、プリンタの光通信インターフェースにバーコードリーダの光通信インターフェースを合わせながらバーコードリーダを持ち続けなければならないから、その間は他の作業を行うことができず、携帯ケースにバーコードリーダをセットするだけで、光通信することを可能ならしめる携帯式伝票発行装置の具現が望まれていた。勿論、携帯式伝票発行装置を、プリンタに対してバーコードリーダの位置をずらした状態でセットし得る大きさにすれば、携帯ケースにバーコードリーダをセットするだけで、光通信することが可能になる。しかしながら、これでは、携帯式伝票発行装置が大型になり、例えばトラック等の運転席に置く場合に大きなスペースを占めるので好ましくない。
【００１３】
従って、本発明の目的は、携帯ケースにバーコードリーダをセットするだけで汎用のプリンタの光通信インターフェースに、汎用のバーコードリーダの光通信インターフェースから光通信により情報を伝達することを可能ならしめ、しかもコンパクトな携帯式伝票発行装置を提供することである。
【００１４】
【課題を解決するための手段】
発明者らは、携帯ケースにバーコードリーダの光通信インターフェースから発信される情報伝達用赤外線を、プリンタの光通信インターフェースに案内する赤外線案内手段を設ければ、上記課題を解決することができると考えて本発明をなしたものである。
【００１５】
従って、上記課題を解決するために本発明の請求項１に係る携帯式伝票発行装置が採用した構成は、光通信インターフェース（８ａ）を備えたプリンタ（８）を収納する携帯ケース（２）に、物品に貼付されたバーコードラベルのバーコードを読み取り、前記プリンタ（８）の光通信インターフェース（８ａ）に情報伝達用赤外線（Ｌ）を発信する光通信インターフェース（７ａ）を有するバーコードリーダ（７）をセットするバーコードリーダセット場所（３）を設けると共に、このバーコードリーダセット場所（３）にセットされたバーコードリーダ（７）の光通信インターフェース（７ａ）から発信された情報伝達用赤外線（Ｌ）を、前記プリンタ（８）の光通信インターフェース（８ａ）に案内する赤外線案内手段（１０）を設けたことを特徴とするものである。
【００１６】
本発明の請求項２に係る携帯式伝票発行装置が採用した構成は、請求項１に記載の携帯式伝票発行装置において、前記赤外線案内手段（１０）は、前記バーコードリーダ（７）と前記プリンタ（８）との間に設けられ、前記バーコードリーダ（７）の光通信インターフェース（７ａ）から発信された情報伝達用赤外線（Ｌ）を反射する第１反射板（１０ａ）と、この第１反射板（１０ａ）で反射された情報伝達用赤外線（Ｌ）を受光し、受光した情報伝達用赤外線（Ｌ）を前記プリンタ（８）の光通信インターフェース（８ａ）に向けて反射させる第２反射板（１０ｂ）とからなることを特徴とするものである。
【００１７】
本発明の請求項３に係る携帯式伝票発行装置が採用した構成は、請求項１に記載の携帯式伝票発行装置において、前記赤外線案内手段（１０）は、前記バーコードリーダ（７）と前記プリンタ（８）との間に設けられ、前記バーコードリーダ（７）の光通信インターフェース（７ａ）から発信された情報伝達用赤外線（Ｌ）を反射する第１プリズムと、この第１プリズムで反射された情報伝達用赤外線を受光し、受光した情報伝達用赤外線（Ｌ）を前記プリンタ（８）の光通信インターフェース（８ａ）に向けて反射させる第２プリズムとからなることを特徴とするものである。
【００１８】
本発明の請求項４に係る携帯式伝票発行装置が採用した構成は、請求項１に記載の携帯式伝票発行装置において、前記赤外線案内手段（１０）は、前記バーコードリーダ（７）と前記プリンタ（８）との間に設けられ、前記バーコードリーダ（７）の光通信インターフェース（７ａ）から発信された情報伝達用赤外線（Ｌ）を反射する第１プリズムと、この第１プリズムで反射された情報伝達用赤外線を受光し、受光した情報伝達用赤外線（Ｌ）を前記プリンタ（８）の光通信インターフェース（８ａ）に向けて反射させる第２プリズムとからなることを特徴とするものである。
【００１９】
本発明の請求項５に係る携帯式伝票発行装置が採用した構成は、請求項１乃至４のうちの何れか一つの項に記載の携帯式伝票発行装置において、前記携帯ケース（２）の前記プリンタ（８）の下側に、このプリンタ（８）で印字される伝票用の折畳み式連続紙（９）を収納する伝票用紙収納室（５）を設けたことを特徴とするものである。
【００２０】
【発明の実施の形態】
以下、本発明の実施の形態１に係る携帯式伝票発行装置を、添付図面を参照しながら説明する。図１はバーコードリーダとプリンタとをセットした状態を示す携帯式伝票発行装置の斜視図、図２はバーコードリーダとプリンタとを取外した状態を示す携帯式伝票発行装置の斜視図、図３は携帯式伝票発行装置の模式的縦断側面図である。
【００２１】
図１乃至３に示す符号１は、本発明の実施の形態１に係る携帯式伝票発行装置である。この携帯式伝票発行装置１は、これを持つための把手２ｃが取付けられたケース本体２ａと、ファスナーの操作によって開閉されるケースカバー２ｂとからなる携帯ケース２を備えている。この携帯ケース２のケース本体２ａの内側には、プリンタ８を着脱自在に嵌め取んでセットするための矩形凹状のプリンタセット場所４が刳り貫かれている。また、このプリンタセット凹所４の近接した位置に、このプリンタセット場所４にセットされたプリンタ８と平行になるようにバーコードリーダ７を着脱自在に嵌め取んでセットするための凹状のバーコードリーダセット場所３が設けられている。なお、この場合、携帯式伝票発行装置１は手に提げて運ぶ構成になっているが、携帯ケース２に肩掛け用のバンドを取付け、肩に掛けて運ぶ構成にすることができる。
【００２２】
前記プリンタセット場所４の底部には、プリンタ８を保持する底板２ｄが配設されており、そしてこの底板２ｄの下側に、前記プリンタ８で印字される伝票用の折畳み式連続紙９を収納する伝票用紙収納室５が設けられている。また、前記底板２ｄのバーコードリーダセット場所３の反対側には、伝票をストックするときには開けられると共に、移動する不使用時には開けられるスライド開閉式の収納室閉塞蓋６が設けられている。さらに、前記伝票用紙収納室５の収納室閉塞蓋６の先端側の内壁であって、かつ幅方向の中央位置には、収納室閉塞蓋６の開閉に際して指を出し入れするための縦向き半円形状の蓋開閉用指溝５ａが形成されている。なお、この収納室閉塞蓋６の先端に半円形状の切欠きを設けても、またこの収納室閉塞蓋６の先端部近傍に指穴を設けても良い。
【００２３】
バーコードリーダ７とプリンタ８とがそれぞれのセット場所３，４にセットされた状態では、バーコードリーダ７の光通信インターフェース（図示省略）とプリンタ８の光通信インターフェース８ａとは、相対する側に位置しているものの、これら光通信インターフェースはケース本体２ａの幅方向にずれている。
そのため、ケース本体２ａのバーコードリーダ７とプリンタ８との間に、バーコードリーダ７の光通信インターフェースから発信された情報伝達用赤外線Ｌをプリンタ８の光通信インターフェース８ａに案内する、後述する赤外線案内手段１０が設けられている。なお、バーコードリーダ７とプリンタ８との光通信インターフェースを相対する側に向けたときに、ケース本体２ａの幅方向にずれるのは、各構成部品の取り合い、それぞれを単独で操作するときの操作性等の配慮によるものと解することができる。
【００２４】
前記赤外線案内手段１０は、図１，２に示すように、バーコードリーダ７の光通信インターフェースから発信された情報伝達用赤外線Ｌを直角に反射する第１反射板１０ａと、この第１反射板１０ａで反射された情報伝達用赤外線Ｌを受光して、受光した情報伝達用赤外線Ｌを直角に反射させてプリンタ８の光通信インターフェース８ａに入射させる第２反射板１０ｂとから構成されている。
なお、本実施の形態１に係る携帯式伝票発行装置１では、情報伝達用赤外線Ｌを案内するのに反射板を採用しているが、これら反射板に代えてプリズムを採用しても、これら反射板の場合と同等の効果を得ることができる。ところで、本実施の形態１では、第１，２反射板１０ａ．１０ｂは何れも固定されている。
しかしながら、ロックナットによりロックし、かつロック解除される垂直軸により回動可能に支持する構成とし、これら第１，２反射板１０ａ．１０ｂの角度を微調整し得るように構成することができる。
【００２５】
以下、本実施の形態１に係る携帯式伝票発行装置１の使用態様を説明する。
例えば、ガスボンベをトラック等に積載して運搬して顧客に納入すると共に、ガス使用済みの空のガスボンベを回収する場合を例として説明すると、携帯用伝票発行装置１をトラック等の運転席に積載して目的地に移動する。そして、トラック等が目的地に到着すると、ケースカバー２ｂを開け、携帯ケース２内にセットされているバーコードリーダ７を手に持って、バーコードリーダ７によりガスボンベに添付されているバーコードラベルのバーコードを読み取る。このようにしてバーコードの読み取りが終了すると、バーコードリーダ７をバーコードリーダセット場所３にセットすると共に、バーコードリーダ７の所定のキーとプリンタ８のボタンとを操作する。さすれば、バーコードリーダ７の光通信インターフェースから発信された情報伝達用赤外線Ｌが、赤外線案内手段１０の第１反射板１０ａ、第２反射板１０ｂを経由して、プリンタ８の光通信インターフェース８ａに入射する。これにより、プリンタ８が作動し、このプリンタ８から所定の情報を印字した伝票が発行されることとなる。
【００２６】
従って、本実施の形態１に係る携帯式伝票発行装置１によれば、上記特許文献１に記載のメータ類の検針装置のように、情報を伝達するためのＲＳ２３２Ｃインターフェース２０のようなコード状インターフェースが設けられていないから、バーコードの読み取り作業中に、コード状インターフェースがガスボンベに引っ掛かったり、絡まったりするようなことがない。従って、コード状インターフェースの切断による作業の中断トラブルに起因する作業能率の低下の恐れや、ガスボンベが倒れたりするような恐れもないから、能率良く、しかも安全にバーコードの読み取り作業を行うことができる。
【００２７】
また、本実施の形態１に係る携帯式伝票発行装置１によれば、上記特許文献２に記載の携帯用プリンタのように、ハンディターミナルと通信ユニットとは対をなすように特別に製造する必要がなく、汎用のプリンタやバーコードリーダを使用することができるから、携帯式伝票発行装置自体の製造コストに関して有利になる。また、読み取った全情報の送信が終了するまで、プリンタの光通信インターフェースにバーコードリーダの光通信インターフェースを合わせながらバーコードリーダを持ち続ける必要がないから、伝票の発行中であっても他の作業を行うことができる。さらに、プリンタに対してバーコードリーダの位置をずらした状態でセットする構成でないから、携帯式伝票発行装置１をコンパクトにすることができる。
【００２８】
本発明の実施の形態２に係る携帯式伝票発行装置を、その模式的構成説明図の図４を参照しながら説明する。本実施の形態２に係る携帯式伝票発行装置１においては、ケース本体２ａにバーコードリーダ７とプリンタ８とが、上記実施の形態１の場合と同様の向きにセットされるように構成されている。つまり、バーコードリーダ７の光通信インターフェース７ａとプリンタ８の光通信インターフェース８ａとは相対する側に位置しており、これら光通信インターフェース７ａ，８ａはケース本体２ａの幅方向にずれている。
【００２９】
そのため、本実施の形態２に係る携帯式伝票発行装置では、ケース本体２ａのバーコードリーダ７とプリンタ８の間に、バーコードリーダ７の光通信インターフェース７ａから発信された赤外線をプリンタ８の光通信インターフェース８ａに案内する光ファイバーケーブル（赤外線案内手段）１０が配設されている。
この光ファイバーケーブル１０は二箇所で折り曲げ成形されており、その一端側の切断面はバーコードリーダ７の光通信インターフェース７ａの方向に向けられ、その他端側の切断面はプリンタ８の光通信インターフェース８ａの方向に向けられてなる構成になっている。
【００３０】
従って、本実施の形態２に係る携帯式伝票発行装置１によれば、バーコードリーダ７をバーコードリーダセット場所３にセットして、バーコードリーダ７の所定のキーを操作すれば、バーコードリーダ７の光通信インターフェース７ａから発信された情報伝達用赤外線Ｌが、光ファイバーケーブル１０を経由して、プリンタ８の光通信インターフェース８ａに入射する。従って、プリンタ８が作動して、このプリンタ８から所定の情報を印字した伝票が発行されるから、本実施の形態２に係る携帯式伝票発行装置は上記実施の形態１に係る携帯式伝票発行装置と同等の効果を得ることができる。
【００３１】
本発明の実施の形態３に係る携帯式伝票発行装置を、その模式的構成説明図の図５を参照しながら説明する。本実施の形態３に係る携帯式伝票発行装置１においては、ケース本体２ａにバーコードリーダ７とプリンタ８とが、上記実施の形態１の場合と逆向きにセットされるように構成されている。つまり、バーコードリーダ７の光通信インターフェース７ａとプリンタ８の光通信インターフェース８ａとは相反する側に位置しており、これら光通信インターフェース７ａ，８ａはケース本体２ａの幅方向のほぼ同位置に位置している。
【００３２】
本実施の形態３に係る携帯式伝票発行装置１の場合には、上記のとおり、バーコードリーダ７の光通信インターフェース７ａとプリンタ８の光通信インターフェース８ａとは相反する側に位置している。そのため、バーコードリーダ７の光通信インターフェース７ａから発信された赤外線をプリンタ８の光通信インターフェース８ａに案内する光ファイバーケーブル（赤外線案内手段）１０が配設されている。この光ファイバーケーブル１０は、四箇所で折り曲げ成形されており、その一端側の切断面はバーコードリーダ７の光通信インターフェース７ａの方向に向けられ、その他端側の切断面はプリンタ８の光通信インターフェース８ａの方向に向けられてなる構成になっている。
【００３３】
従って、本実施の形態３に係る携帯式伝票発行装置１よれば、バーコードリーダ７をバーコードリーダセット場所３にセットして、バーコードリーダ７の所定のキーを操作すれば、バーコードリーダ７の光通信インターフェース７ａから発信された情報伝達用赤外線Ｌが、光ファイバーケーブル１０を経由して、プリンタ８の光通信インターフェース８ａに入射するから、本実施の形態３に係る携帯式伝票発行装置は上記実施の形態１または２に係る携帯式伝票発行装置と同等の効果を得ることができる。
【００３４】
なお、上記実施の形態１乃至３に係る携帯式伝票発行装置は、本発明の具体例に過ぎないから、本発明の技術的思想を逸脱しない範囲内における設計変更等は自由自在である。また、商品がガスボンベである場合を例として説明したが、ガスボンベ以外の商品の伝票発行にも適用することができるから、特にガスボンベ用の用途に限定されるものではない。
【００３５】
【発明の効果】
以上説明したとおり、本発明の請求項１乃至５に係る携帯式伝票発行装置では、光通信インターフェースを備えたバーコードリーダとプリンタとが携帯ケースに設けられたセット場所にセットされるようになっている。そして、携帯ケースのバーコードリーダとプリンタとの間に情報伝達用赤外線をバーコードリーダの光通信インターフェースからプリンタの光通信インターフェースに案内する赤外線案内手段が設けられている。そのため、バーコードリーダを手に持ってバーコードを読み取った後、バーコードリーダをバーコードリーダセット場所にセットして所定のキーを操作すれば、情報伝達用赤外線が赤外線案内手段に案内されてプリンタに伝達される。
【００３６】
従って、本発明の請求項１乃至５に係る携帯式伝票発行装置によれば、従来例１に係るメータ類の検針装置のように、情報を伝達するためのＲＳ２３２Ｃインターフェースのようなコード状インターフェースが設けられていないから、バーコードの読み取り作業中に、コード状インターフェースがガスボンベに引っ掛かったり、絡まったりするようなことがない。そのため、コード状インターフェースの切断による作業の中断トラブルに起因する作業能率の低下の恐れや、ガスボンベが倒れたりするような恐れもないから、能率良く、しかも安全にバーコードの読み取り作業を行うことができるという優れた効果が得られる。
【００３７】
また、本発明の請求項１乃至５に係る携帯式伝票発行装置によれば、従来例２に係る携帯用プリンタのように、ハンディターミナルと通信ユニットとは対をなすように特別に製造する必要がなく、汎用のプリンタやバーコードリーダを使用することができるから、携帯式伝票発行装置自体の製造コストに関して有利になる。また、読み取った全情報の送信が終了するまで、プリンタの光通信インターフェースにバーコードリーダの光通信インターフェースを合わせながらバーコードリーダを持ち続ける必要がないから、伝票の発行中であっても他の作業を行うことができる。さらに、プリンタに対してバーコードリーダの位置をずらした状態でセットする構成でないから、携帯式伝票発行装置１をコンパクトにすることができる。
【図面の簡単な説明】
【図１】本実施の形態１に係り、バーコードリーダとプリンタとをセットした状態を示す携帯式伝票発行装置の斜視図である。
【図２】本実施の形態１に係り、バーコードリーダとプリンタとを取外した状態を示す携帯式伝票発行装置の斜視図である。
【図３】本実施の形態１に係り、携帯式伝票発行装置の模式的縦断側面図である。
【図４】本発明の実施の形態２に係る携帯式伝票発行装置の模式的構成説明図である。
【図５】本発明の実施の形態３に係る携帯式伝票発行装置の模式的構成説明図である。
【図６】従来例１に係るメータ類の検針装置の構成説明図である
【図７】従来例２に係る携帯用プリンタの概略構成説明図である。
【符号の説明】
１…携帯式伝票発行装置、２…携帯ケース、２ａ…ケース本体、２ｂ…ケースカバー、２ｃ…把手、２ｄ…底板、３…バーコードリーダセット場所、４…プリンタセット場所、５…伝票用紙収納室、５ａ…蓋開閉用指溝、６…収納室閉塞蓋、７…バーコードリーダ、７ａ…光通信インターフェース、８…プリンタ、８ａ…光通信インターフェース、９…折畳み式連続紙、１０…赤外線案内手段、または光ファイバーケーブル、１０ａ…第１反射板、１０ｂ…第２反射板、Ｌ…情報伝達用赤外線。
整理番号  ＩＷＰ０３０１０１                    ページ（１／４）
【図１】
2004216719.tif 000003
【図２】
2004216719.tif 000004
【図３】
2004216719.tif 000005
【図４】
2004216719.tif 000006
【図５】
2004216719.tif 000007
【図６】
2004216719.tif 000008
【図７】
2004216719.tif 000009